(57)【要約】【課題】二つの電子ユニットを分離接続可能に備えた電子機器において、二つの電子ユニットの着脱作業性を向上させた電子機器を提供する。【解決手段】  蓋１９の凹部１９ａに突出部１８を挿入した状態で、シートスルースキャナ１６をスライドさせることにより、接点基板２０を露出させる。この位置で凹部２７にフック１７を引掛けることにより、フラットベッドスキャナ１にシートスルースキャナ１６を固定する。このときのフック１７を引掛ける動作に連動して、レバー２３が接点部材２２をシートスルースキャナ１６に向かって突き上げる。これにより、接点部材２２に取り付けられた接点基板２１が、保護蓋１９が開くことによって露出した接点基板２０に接触する。【選択図】  図２
2006254212.tif 000002
【特許請求の範囲】
【請求項１】
電気的に接続される第１の電子ユニット及び第２の電子ユニットを分離接続可能に備えた電子機器において、
前記第１の電子ユニットは、第１の電気的接続部と、移動可能に設けられ該第１の電気的接続部を保護する保護蓋とを備え、
前記第２の電子ユニットは、前記第１の電気的接続部に電気的に接続される第２の電気的接続部を備え、
前記第１の電子ユニット及び前記第２の電子ユニットのうちいずれか一方は、該第１の電子ユニット及び該第２の電子ユニットのうちいずれか他方に係合して、該第１の電子ユニット及び該第２の電子ユニットを接続状態とする係合部材を備え、
前記第１の電子ユニット及び前記第２の電子ユニットを接続させる場合には、該第１の電子ユニット及び該第２の電子ユニットを、所定の接続前位置に一旦配置させた後、相対的に移動させることにより該第１の電子ユニット及び該第２の電子ユニットが接続状態となる接続位置に配設させるものであり、
前記接続前位置から前記接続位置に移動する移動動作に連動して、前記保護蓋が移動することにより前記第１の電気的接続部が露出し、
前記接続位置で、前記第２の電子ユニットに設けられた前記係合部材が、前記第１の電子ユニットに係合する係合動作に連動して前記第２の電気的接続部が移動するか、または、前記第１の電子ユニットに設けられた前記係合部材が、前記第２の電子ユニットに係合する係合動作に連動して前記第１の電気的接続部が移動することにより、前記第１の電気的接続部と前記第２の電気的接続部とが電気的に接続されることを特徴とする電子機器。
【請求項２】
前記保護蓋と前記第２の電子ユニットとの間にそれぞれ設けられ、前記第１の電子ユニット及び前記第２の電子ユニットが前記接続前位置に配置された場合に係合する係合部を備え、
前記第１の電子ユニット及び前記第２の電子ユニットが前記接続前位置から前記接続位置に移動する移動動作に連動して、前記係合部で該第２の電子ユニットに係合された前記保護蓋が移動することにより、前記第１の電気的接続部が露出することを特徴とする請求項１に記載の電子機器。
【請求項３】
前記第１の電気的接続部及び前記第２の電気的接続部のうち前記係合部材を備えた電子ユニットに設けられた一方の電気的接続部、及び、該係合部材にそれぞれ係合するように設けられ、前記第１の電子ユニット及び前記第２の電子ユニットを接続状態とする該係合部材の係合動作に連動して、該一方の電気的接続部が、該第１の電気的接続部及び該第２の電気的接続部のうち他方の電気的接続部に接続する位置まで、該一方の電気的接続部を移動させる連動部材を備えることを特徴とする請求項１または２に記載の電子機器。
【請求項４】
前記第１の電子ユニットには、電力源から電力が供給され、
前記第２の電子ユニットには、前記第１及び前記第２の電気的接続部が接続されることにより、前記電力源からの電力が前記第１の電子ユニットを介して供給されることを特徴とする請求項１〜３のいずれかに記載の電子機器。
【請求項５】
前記第１の電子ユニットは、原稿を移動させながら原稿に形成された画像を読取る第１の画像読取ユニットであり、
前記第２の電子ユニットは、原稿を静置して可動式読取部を移動させながら画像を読取る第２の画像読取ユニットであることを特徴とする請求項１〜４のいずれかに記載の電子機器。
【請求項６】
前記第１の画像読取ユニットには、前記第１の画像読取ユニット及び前記第２の画像読
取ユニットにより読取られた画像情報を処理する画像処理部が設けられ、
前記第１の画像読取ユニットと前記第２の画像読取ユニットとの間には、前記第１及び前記第２の電気的接続部が接続されることにより前記第２の画像読取ユニットに供給される電力とは異なる電力を前記第２の画像読取ユニットに供給し、かつ、前記第２の画像読取ユニットにより読取られた画像情報を前記第１の画像読取ユニットの前記画像処理部に伝送するためのケーブルがさらに設けられていることを特徴とする請求項５に記載の電子機器。
【発明の詳細な説明】
【技術分野】
【０００１】
本発明は、電子機器に関するもので、例えば、原稿の画像を読み取る画像読取装置に関するものである。
【背景技術】
【０００２】
画像を読取る画像読取装置には、原稿束を一枚ずつ分離、搬送して画像を読取るシートスルースキャナ（電子ユニット）と、パスポートや本などの厚みがある原稿も読取可能なフラットベッドスキャナ（電子ユニット）がある。
【０００３】
図８は従来のシートスルースキャナ１０１の概略断面図である。以下、シートスルースキャナ１０１による画像読取動作について説明する。
【０００４】
給送トレイ３３に積載された原稿３２は、ピックアップローラ３６、給送ローラ３７によって搬送され、原稿３２が重送した場合、分離ローラ４１によって分離される。レジストローラ３８によって搬送された原稿３２は、画像読取センサ３９によって画像が読取られる。排出口は３５と４３の２箇所あり、回転中心３０を中心に回転するレバー２９の切替により、排出口を選択することができる。
【０００５】
通常の原稿は、Ｕ字形搬送路３４を経由し、排出口４３から排出トレイ４２に排出される。Ｕ字形搬送路３４内で、原稿が詰まらないように排出ローラ４０が設けられている。
【０００６】
原稿が厚い場合、湾曲したＵ字形搬送路３４を通過できないため、レバー２９を切り換えて、排出口３５から排出する。厚い原稿を搬送することはまれなため、特に排出トレイは設けていない。
【０００７】
図９は、従来のフラットベッドスキャナ１００の概略図である。以下、フラットベッドスキャナ１００による画像読取動作について説明する。
【０００８】
フラットベッドスキャナ１００の原稿台２に原稿３をセットし圧板４を閉じる。静置された原稿３の画像を装置内に設けられた不図示の光学ユニットが移動しながら読取る。
【０００９】
シートスルースキャナは複数の原稿を自動で給送、搬送することで読取時間を短縮できる。しかし、搬送路の隙間が狭いため、搬送路の隙間以上に厚い原稿やパスポート、本などを搬送できない。その反面フラットベッドスキャナは厚い原稿等を読取可能であるが、スキャン毎に原稿をセットし直さなければならないため手間と時間がかかる。
【００１０】
そのため、原稿の種類によってスキャナを選択できるように２つのスキャナを一体で形成した一体型スキャナがある。図１０は一体型スキャナを示す概略図である。一体型スキャナは、図１０に示すように、フラットベッドスキャナ１００の上にシートスルースキャナ１０１を一体で構成するものである。
【００１１】
なお、関連する従来例が開示された文献としては、特許文献１がある。
【特許文献１】特開平１１−８８５６８号公報
【発明の開示】
【発明が解決しようとする課題】
【００１２】
しかしながら、上記のような従来技術の場合、フラットベッドスキャナは設置面積が広
いため、フラットベッドスキャナの使用頻度が低い場合には無駄に場所をとってしまう。また、一度、一体型スキャナを設置すると他の場所に移動して使用しにくい。
【００１３】
そのため、上記のような一体型のスキャナではなく、特許文献１のように、フラットベッドスキャナを必要な時にのみ、シートスルースキャナの読取ユニットを取外し、取外した読取ユニットをフラットベッドスキャナに取り付ける構成のスキャナがある。
【００１４】
この構成だと、フラットベッド不必要時には、他の場所に保管することができ、また、シートスルースキャナは小型であるため、持ち運びが容易である。
【００１５】
しかし、取外しに手間がかかる。また、ユーザが読取ユニットを取外すことは故障の原因になりかねない。
【００１６】
本発明は上記したような事情に鑑みてなされたものであり、二つの電子ユニットを分離接続可能に備えた電子機器において、二つの電子ユニットの着脱作業性を向上させることを目的とする。
【課題を解決するための手段】
【００１７】
上記目的を達成するために本発明にあっては、
電気的に接続される第１の電子ユニット及び第２の電子ユニットを分離接続可能に備えた電子機器において、
前記第１の電子ユニットは、第１の電気的接続部と、移動可能に設けられ該第１の電気的接続部を保護する保護蓋とを備え、
前記第２の電子ユニットは、前記第１の電気的接続部に電気的に接続される第２の電気的接続部を備え、
前記第１の電子ユニット及び前記第２の電子ユニットのうちいずれか一方は、該第１の電子ユニット及び該第２の電子ユニットのうちいずれか他方に係合して、該第１の電子ユニット及び該第２の電子ユニットを接続状態とする係合部材を備え、
前記第１の電子ユニット及び前記第２の電子ユニットを接続させる場合には、該第１の電子ユニット及び該第２の電子ユニットを、所定の接続前位置に一旦配置させた後、相対的に移動させることにより該第１の電子ユニット及び該第２の電子ユニットが接続状態となる接続位置に配設させるものであり、
前記接続前位置から前記接続位置に移動する移動動作に連動して、前記保護蓋が移動することにより前記第１の電気的接続部が露出し、
前記接続位置で、前記第２の電子ユニットに設けられた前記係合部材が、前記第１の電子ユニットに係合する係合動作に連動して前記第２の電気的接続部が移動するか、または、前記第１の電子ユニットに設けられた前記係合部材が、前記第２の電子ユニットに係合する係合動作に連動して前記第１の電気的接続部が移動することにより、前記第１の電気的接続部と前記第２の電気的接続部とが電気的に接続されることを特徴とする。
【発明の効果】
【００１８】
本発明によれば、二つの電子ユニットを分離接続可能に備えた電子機器において、二つの電子ユニットの着脱作業性を向上させることが可能となる。
【発明を実施するための最良の形態】
【００１９】
以下に図面を参照して、この発明を実施するための最良の形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【００２０】
図１は、フラットベッドスキャナ１にシートスルースキャナ１６を取り付ける手順を説明するための概略断面図である。図２は、フラットベッドスキャナ１にシートスルースキャナ１６を取り付けた状態を示す概略断面図である。図７は、フラットベッドスキャナ１にシートスルースキャナ１６を取付けた接続状態を示す概略断面図である。ここで、シートスルースキャナ１６は本発明に係る第１の電子ユニットを構成し、フラットベッドスキャナ１は本発明に係る第２の電子ユニットを構成している。そして、フラットベッドスキャナ１にシートスルースキャナ１６が取り付けられて接続状態となることにより本発明に係る電子機器を構成する。
【００２１】
なお、フラットベッドスキャナ１及びシートスルースキャナ１６において画像を読取る画像読取動作については、図８〜１０を用いて説明したフラットベッドスキャナ１００及びシートスルースキャナ１０１による画像読取動作と同様であり、フラットベッドスキャナ１００及びシートスルースキャナ１０１と同様の構成部分については同一の符号を付してその説明は省略する。
【００２２】
フラットベッドスキャナ１にシートスルースキャナ１６を取り付けたことで、シートスルースキャナ１６の排出口３５が高くなるため、排出された原稿の排出整列性が悪くなる。そこで、引出し可能な排出トレイ３１がフラットベッドスキャナ１に設けられている。排出された原稿は、排出トレイ３１に積載されるので、排出整列性を向上させることができる。通常使用時は、排出トレイ３１を収納しておき、必要時のみ引き出して使用することができるので、無駄に場所をとることもない。
【００２３】
以下、フラットベッドスキャナ１にシートスルースキャナ１６を取り付ける手順について説明する。
【００２４】
図１に示すように、シートスルースキャナ１６には、凹部２６、凹部２７、第１の電気的接続部としての接点基板２０と、埃や静電気等から接点基板２０および不図示の半導体素子等を保護する保護蓋１９とが設けられている。
【００２５】
また、フラットベッドスキャナ１には、引掛け部２５と突出部１８が設けられており、その内部には、第２の電気的接続部としての接点基板２１と、接点基板２１を移動可能に保持する接点部材２２と、連動部材としてのレバー２３と、係合部材としてのフック１７とが設けられている。
【００２６】
そして、フラットベッドスキャナ１にシートスルースキャナ１６を取り付ける場合には、図１に示すように、フラットベッドスキャナ１側の基準面２５ａにシートスルースキャナ１６の基準面２６ａを合わせてフラットベッドスキャナ１の上部にシートスルースキャナ１６を装着することにより、フラットベッドスキャナ１とシートスルースキャナ１６とを接続前位置に位置させる。この位置で、蓋１９の凹部１９ａに突出部１８が挿入されることとなる。ここで、蓋１９の凹部１９ａと突出部１８とは、本発明に係る係合部を構成している。
【００２７】
この状態から、図１において左方向にシートスルースキャナ１６をスライドさせることにより、引掛け部２５を凹部２６に嵌め込むことができ（図２参照）、フラットベッドスキャナ１とシートスルースキャナ１６とを接続位置に位置させることができる。さらに、シートスルースキャナ１６が移動することにより、図２に示すように保護蓋１９が開いた状態となり、これによって、接点基板２０が露出することとなる（図２参照）。
【００２８】
次に、フラットベッドスキャナ１にシートスルースキャナ１６を固定するために、回転中心２８を中心にフック１７を回転させ、凹部２７にフック１７の引掛け部１７ａを引掛
ける。フック１７の回転により、フック１７の突き当て部１７ｂがレバー２３の突き当て面２３ａに突き当たり、レバー２３は回転中心２４を中心に回転し、持ち上げ部２３ｂが接点部材２２をシートスルースキャナ１６に向かって突き上げる。
【００２９】
すると、接点部材２２に取り付けられている接点基板２１は、保護蓋１９が開くことによって露出した接点基板２０に接触することとなる。接点基板２１が接点基板２０に接触することによって、シートスルースキャナ１６からフラットベッドスキャナ１に電力供給が可能となる。接点基板２１には、不図示の束線が接続されており、他端はモータ１１に接続されている。
【００３０】
このように、フック１７でシートスルースキャナ１６をフラットベッドスキャナ１に固定することで、フラットベッドスキャナ１のモータ１１に電力供給が可能となる。
【００３１】
図３は、フラットベッドスキャナ１の内部の構造を示す概略図である。
【００３２】
可動式読取部５は、シャフト１３を基準にスラスト方向（図示矢印方向）に移動可能に設けられ、モータ１１がベルト１２等を介し可動式読取部５を移動させる。そして、可動式読取部５には、ＣＣＤ（電荷結合素子）を実装したＣＣＤ基板６が設置されており、そのＣＣＤ基板６には、読取ユニット５のホームポジションを検知するためのフォトセンサ７が設けられている。
【００３３】
また、ＣＣＤ基板６には、一端にコネクタ１５が接続されたケーブル１４の他端が接続している。コネクタ１５は、フラットベッドスキャナ１の外部に配置されており、フラットベッドスキャナ１の内部においては、ＣＣＤ基板６とコネクタ１５とを接続しているケーブル１４を案内する（ひきまわすための）案内部材８，９，１０がケーブル１４に取り付けられている。
【００３４】
図４は、可動式読取部５が移動する際の案内部材８，９，１０の動作を説明するための図である。
【００３５】
案内部材８，９，１０は、回転中心４４を中心に回動自在に設けられている。図４においては、不図示の可動式読取部５がホームポジションに位置した場合の案内部材８，９，１０の位置を８ａ，９ａ，１０ａで示している。また、不図示の可動式読取部５が移動した際の案内部材８，９，１０の動作位置を８ｂ，９ｂ，１０ｂで示している。このように、案内部材８，９，１０がケーブル１４に取り付けられたことにより、可動式読取部５が移動してもケーブル１４が絡まることを防止することができる。
【００３６】
図５は、フラットベッドスキャナ１の上にシートスルースキャナ１６を装着させたときの概略図である。図１を用いて説明したように、フック１７をシートスルースキャナ１６に引掛けることで、フラットベッドスキャナ１の上にシートスルースキャナ１６を固定し、シートスルースキャナ１６からフラットベッドスキャナ１にモータ駆動電力の供給が可能となる。また、図３を用いて説明したように、コネクタ１５をシートスルースキャナ１６の差込口に差し込む事で、ＣＣＤ等への電源の供給及び画像信号の伝送が可能となる。
【００３７】
図６は、シートスルースキャナ１６とフラットベッドスキャナ１の接続状態を示す概略ブロック図である。
【００３８】
シートスルースキャナ１６とフラットベッドスキャナ１を同時に使用することはないため、２つのスキャナは、シートスルースキャナのみに設けた画像処理部１０７と電源（電力源）１０１を共有する構成にしている。
【００３９】
シートスルースキャナ１６の制御部１０３は、電源１０１から電源（電力）が供給され、ＰＣ（パーソナルコンピュータ）１０２に接続されている。ＰＣ１０２が制御部１０３にシートスルースキャナ１６でスキャンすることを指示すると、制御部１０３は、モータドライバ１０４を介しモータ１０９を駆動させ図７で説明したような給送機構で原稿を搬送し、照明ランプ１０５に照射された原稿からの反射光を画像読取センサ３９で読取る。その後、画像処理部１０７で画像処理された画像データは、制御部１０３を介しＰＣ１０２に伝送される。
【００４０】
ＰＣ１０２が制御部１０３にフラットベッドスキャナ１でスキャンすることを指示すると、制御部１０３は、モータドライバ１０８、接点基板２０，２１を介しモータ１１を駆動させて、可動式読取部５を移動させながら、照明ランプ１１０に照射された原稿からの反射光を不図示の光学系でＣＣＤ１１１に結像させて読取る。
【００４１】
ＣＣＤ１１１で読取った画像データはケーブル１４、コネクタ１５を介し画像処理部１０７に伝送される。画像処理された画像データは、制御部１０３を介してＰＣ１０２に伝送される。
【００４２】
因みに、モータ１１への不図示の電力供給ラインは、大電流が流れることにより、ノイズを発生する。前記ノイズによるＣＣＤ１１１から伝送される画像信号への悪影響をさけるため、本実施の形態ではモータ１１への電力供給には、接点基板２０，２１を用い、ＣＣＤ１１１及び照明ランプ１１０の電源供給及び画像信号や制御信号の伝送には、ケーブル１４を用い、シートスルースキャナ１６から別々に電源を供給している。
【００４３】
以上説明したように、本実施の形態によれば、シートスルースキャナ１６とフラットベッドスキャナ１との着脱（分離接続）が容易であり、フラットベッドスキャナ１が必要ないときには、取外して別の場所に保管することが出来る。
【００４４】
また、シートスルースキャナ１６を取り外して持ち運ぶことが出来るため、一時的に別の場所に設置して使用することも可能である。
【００４５】
また、フラットベッドスキャナ１にシートスルースキャナ１６を装着する際、シートスルースキャナ１６を係合部材（フック１７）で固定する操作に連動して、シートスルースキャナ１６からフラットベッドスキャナ１に電源供給可能となるため、電気的な接続も簡単に行える。
【００４６】
また、フラットベッドスキャナ１に設けられた可動式読取部５と、シートスルースキャナ１６を直接、ケーブル１４で接続するため、途中に中継基板等を設ける必要がなく、部品点数の削減となる。また、ケーブル１４内にモータ駆動電流を流さないようにでき、画像信号等へのノイズの混入を防止できる。
【００４７】
また、画像処理部１０７、電源１０１等をそれぞれのスキャナに設けず、シートスルースキャナ１６のみに設けて共有しているため、部品点数の削減となる。
【００４８】
なお、本実施の形態においては、フラットベッドスキャナ１に配置されたフック１７の係合動作により、フラットベッドスキャナ１の側の接点基板２１が移動してシートスルースキャナ１６の接点基板２０との接続を行っているが、フック１７をシートスルースキャナ１６に設けて、シートスルースキャナ１６側の接点基板２０が移動する構成とすることもできる。また、接点基板２つを直接接触させてモータに電力を供給する方法を採用しているが、これに限るものではなく、例えば、接点基板上に接触を助ける補助部材を設けて
もよい。また、一方を金属接点とし接点基板に押付けるように構成してもよい。棒状金属接点をバネにより伸縮するよう構成すれば、より接触の信頼性が向上する。また金属接点同士を接触させるよう構成してもよい。
【００４９】
また、本実施の形態では、モータドライバを２個使っているが、一つのモータドライバを切換えて使うことも可能である。
【００５０】
また、本実施の形態では、フラットベッドスキャナの画像読取センサとしてＣＣＤを使用しているが、コンタクトイメージセンサ等を使用してもよい。またシートスルースキャナの画像読取センサとしてはコンタクトイメージセンサやＣＣＤ等が使用できる。
【図面の簡単な説明】
【００５１】
【図１】フラットベッドスキャナにシートスルースキャナを取付ける手順を示す概略図である。
【図２】フラットベッドスキャナにシートスルースキャナを取り付けた状態を示す概略断面図である。
【図３】フラットベッドスキャナ１の内部の構造を示す概略図である。
【図４】可動式読取部が移動する際の案内部材の動作を説明するための図である。
【図５】フラットベッドスキャナの上にシートスルースキャナを装着させたときの概略図である。
【図６】シートスルースキャナとフラットベッドスキャナの接続状態を示す概略ブロック図である。
【図７】フラットベッドスキャナにシートスルースキャナを取付けた接続状態を示す概略断面図である。
【図８】従来のシートスルースキャナの概略断面図である。
【図９】従来のフラットベッドスキャナの簡略図である。
【図１０】従来の一体型スキャナを示す概略図である。
【符号の説明】
【００５２】
１  フラットベッドスキャナ
２  原稿台
３  原稿
４  圧板
５  可動式読取部
６  ＣＣＤ基板
７  フォトセンサ
８  案内部材
９  案内部材
１０  案内部材
１１  モータ
１２  ベルト
１３  シャフト
１４  ケーブル
１５  コネクタ
１６  シートスルースキャナ
１７  フック
１８  突出部
１９  保護蓋
２０  接点基板
２１  接点基板
２２  接点部材
２３  レバー
２４  回転中心
２５  引掛け部
２６  凹部
２７  凹部
２８  回転中心
２９  レバー
３０  回転中心
３１  排出トレイ
３２  原稿
３３  給送トレイ
３４  Ｕ字形搬送路
３５  排出口
３６  ピックアップローラ
３７  給送ローラ
３８  レジストローラ
３９  画像読取センサ
４０  排出ローラ
４１  分離ローラ
４２  排出トレイ
４３  排出口
４４  回転中心
１０１  電源
１０２  ＰＣ
１０３  制御部
１０４  モータドライバ
１０５  照明ランプ
１０７  画像処理部
１０８  モータドライバ
１０９  モータ
１１０  照明ランプ
１１１  ＣＣＤ
【図１】
2006254212.tif 000003
【図２】
2006254212.tif 000004
【図３】
2006254212.tif 000005
【図４】
2006254212.tif 000006
【図５】
2006254212.tif 000007
【図６】
2006254212.tif 000008
【図７】
2006254212.tif 000009
【図８】
2006254212.tif 000010
【図９】
2006254212.tif 000011
【図１０】
2006254212.tif 000012